(57)【要約】【課題】光源を消灯させることなしに原稿のエッジを検出することが可能な画像読取装置及び画像形成装置を提供すること。【解決手段】発光制御部５０は、３色の光源２２１を予め設定された周期で１色ずつ順次に点灯させる。ＡＤＦ１は、前記原稿を移動させることにより、前記原稿に対して３色の光源２２１からの光を副走査方向へ走査させる。搬送ガイド１３は、３色の光源２２１から見て前記原稿の奥側に位置し、蓄光物質が塗布されている。ＣＣＤ２６は、３色の光源２２１から照射された光の反射光に基づいて前記原稿の画像を含む画像データを読み取る。検出処理部５１は、前記画像データにおける特定の色成分の画素値に基づいて、前記画像データにおける前記原稿のエッジを検出する。【選択図】図２
2018191214.tif 000002
【特許請求の範囲】
【請求項１】
原稿における主走査方向に沿う領域に異なる色の光を出射する３色の光源と、
前記３色の光源を予め設定された周期で１色ずつ順次に点灯させる発光制御部と、
前記原稿および前記３色の光源の一方を移動させることにより、前記原稿に対して前記３色の光源からの光を前記主走査方向に直交する副走査方向へ走査させる走査部と、
前記３色の光源から見て前記原稿の奥側に位置し、蓄光物質が塗布された背景板と、
前記３色の光源から照射された光の反射光に基づいて前記原稿の画像を含む画像データを読み取る撮像部と、
前記画像データにおける特定の色成分の画素値に基づいて、前記画像データにおける前記原稿のエッジを検出する検出処理部と、
を備える画像読取装置。
【請求項２】
前記特定の色成分が、前記蓄光物質の励起波長に対応する色成分とは異なる色成分である、
請求項１に記載の画像読取装置。
【請求項３】
前記３色の光源が、赤色光源、緑色光源、及び青色光源であり、
前記蓄光物質が、青色の光で励起されて残光を発する蓄光物質であり、
前記特定の色成分が、赤色成分である、
請求項１又は請求項２に記載の画像読取装置。
【請求項４】
前記検出処理部は、前記画像データにおける各画素の前記特定の色成分の画素値が予め定められた特定範囲内である場合に、前記画素が前記原稿外に位置すると判定する、
請求項１〜３のいずれかに記載の画像読取装置。
【請求項５】
前記検出処理部は、前記画像データにおける各画素の前記特定の色成分の画素値が予め定められた特定値以上である場合に、前記画素が前記原稿外に位置すると判定する、
請求項４に記載の画像読取装置。
【請求項６】
前記特定値が、前記撮像部により白色の原稿が読み取られた場合の前記画像データにおける前記特定の色成分の画素値よりも大きい値である、
請求項５に記載の画像読取装置。
【請求項７】
前記特定値が、前記画素値の上限値である、
請求項６に記載の画像読取装置。
【請求項８】
白基準板と、
前記撮像部により読み取られる前記白基準板の画像データにおいては前記特定の色成分の画素値が前記上限値となり、前記撮像部により読み取られる前記背景板の画像データにおいては前記特定の色成分の画素値が前記上限値未満となるように前記光源の光量を調整する調整処理部とを更に備える、
請求項７に記載の画像読取装置。
【請求項９】
前記画像データの各画素について、前記特定の色成分の画素値が前記上限値である場合に、残りの色成分の画素値を前記上限値に置換する置換処理部を更に備える、
請求項７又は請求項８に記載の画像読取装置。
【請求項１０】
前記検出処理部により検出される前記原稿のエッジの傾きに基づいて前記画像データに対して回転補正を行う補正処理部を更に備える、
請求項１〜９のいずれかに記載の画像読取装置。
【請求項１１】
前記走査部が、読取対象の原稿を搬送路に沿って搬送する原稿搬送部であり、
前記背景板が、前記搬送路における前記原稿の読取位置に設けられた搬送ガイドである、
請求項１〜１０のいずれかに記載の画像読取装置。
【請求項１２】
請求項１〜１１のいずれかに記載の画像読取装置と、
前記画像読取装置により読み取られる原稿の画像データに基づいてシートに画像を形成する画像形成部と、
を備える画像形成装置。
【発明の詳細な説明】
【技術分野】
【０００１】
本発明は、原稿の画像データを読み取る画像読取装置及び画像形成装置に関する。
【背景技術】
【０００２】
原稿カバー及び固定プラテン部に蓄光物質が塗布されており、光源を消灯した状態で前記蓄光物質から放たれる残光に基づいて原稿のサイズを検出する画像読取装置が知られている（例えば、特許文献１参照）。
【先行技術文献】
【特許文献】
【０００３】
【特許文献１】特開２００６−３１９７３６号公報
【発明の概要】
【発明が解決しようとする課題】
【０００４】
しかしながら、前記画像読取装置では、画像読取動作の開始前、動作途中、又は終了後のいずれかのタイミングで、光源を消灯して原稿のサイズを検出する処理が必要となる。よって、前記処理の分だけ処理時間が長くなる。
【０００５】
また、原稿を副走査方向に一定速度で走査しつつ光源の点灯及び消灯を繰り返して画像の読み取りとサイズの検出とを交互に実行する場合には、画像の読取解像度が低下してしまう。
【０００６】
本発明の目的は、光源を消灯させることなしに原稿のエッジを検出することが可能な画像読取装置及び画像形成装置を提供することにある。
【課題を解決するための手段】
【０００７】
本発明の一の局面に係る画像読取装置は、３色の光源と、発光制御部と、走査部と、背景板と、撮像部と、検出処理部とを備える。前記３色の光源は、原稿における主走査方向に沿う領域に異なる色の光を出射する。前記発光制御部は、前記３色の光源を予め設定された周期で１色ずつ順次に点灯させる。前記走査部は、前記原稿および前記３色の光源の一方を移動させることにより、前記原稿に対して前記３色の光源からの光を前記主走査方向に直交する副走査方向へ走査させる。前記背景板は、前記３色の光源から見て前記原稿の奥側に位置し、蓄光物質が塗布されている。前記撮像部は、前記３色の光源から照射された光の反射光に基づいて前記原稿の画像を含む画像データを読み取る。前記検出処理部は、前記画像データにおける特定の色成分の画素値に基づいて、前記画像データにおける前記原稿のエッジを検出する。
【０００８】
本発明の一の局面に係る画像形成装置は、前記画像読取装置と、画像形成部とを備える。前記画像形成部は、前記画像読取装置により読み取られる原稿の画像データに基づいてシートに画像を形成する。
【発明の効果】
【０００９】
本発明によれば、光源を消灯させることなしに原稿のエッジを検出することが可能な画像読取装置及び画像形成装置が提供される。
【図面の簡単な説明】
【００１０】
【図１】図１は、本発明の実施形態に係る画像形成装置の構成を示す断面模式図である。
【図２】図２は、本発明の実施形態に係る画像形成装置のシステム構成を示すブロック図である。
【図３】図３は、本発明の実施形態に係る画像形成装置におけるＡＤＦ及び画像読取部の構成の一部を示す断面模式図である。
【図４】図４は、本発明の実施形態に係る画像形成装置で読み取られた原稿データの一例を示す図である。
【図５】図５は、本発明の実施形態に係る画像形成装置において青色光源の点灯時の反射光の光量を示す図である。
【図６】図６は、本発明の実施形態に係る画像形成装置において緑色光源の点灯時の反射光の光量を示す図である。
【図７】図７は、本発明の実施形態に係る画像形成装置において赤色光源の点灯時の反射光の光量を示す図である。
【図８】図８は、本発明の実施形態に係る画像形成装置で実行される調整処理の手順の一例を示すフローチャートである。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［画像形成装置１０の構成］
まず、図１〜図３を参照しつつ、本発明の実施形態に係る画像形成装置１０の構成について説明する。ここで、図１は画像形成装置１０の構成を示す断面模式図である。また、図３はＡＤＦ１及び画像読取部２の構成の一部を示す断面模式図である。
【００１３】
画像形成装置１０は、原稿から画像データを読み取るスキャン機能、及び画像データに基づいて画像を形成するプリント機能と共に、ファクシミリ機能、及びコピー機能などの複数の機能を有する複合機である。
【００１４】
図１及び図２に示されるように、画像形成装置１０は、ＡＤＦ（自動原稿搬送装置）１、画像読取部２、画像形成部３、給紙部４、制御部５、及び操作表示部６を備える。
【００１５】
画像形成部３は、画像データに基づいて電子写真方式で画像を形成することが可能である。具体的に、画像形成部３は、感光体ドラム、帯電装置、光走査装置、現像装置、転写装置、クリーニング装置、定着装置、及び排紙トレイを備える。給紙部４は、給紙カセット、シート搬送路、及び複数の搬送ローラーを備え、画像形成部３にシートを供給する。画像形成部３は、給紙部４から供給されるシートに、画像読取部２により読み取られる原稿の画像データに基づく画像を形成することが可能である。画像形成部３による画像形成後のシートは、前記排紙トレイに排出される。なお、画像形成部３は、インクジェット方式などの他の画像形成方式により画像を形成するものであってもよい。
【００１６】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶媒体である。前記ＲＡＭは揮発性の記憶媒体であり、前記ＥＥＰＲＯＭは不揮発性の記憶媒体である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００１７】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００１８】
ＡＤＦ１は、読取対象の原稿（すなわち、画像読取部２によって画像データが読み取られる原稿）を搬送する。具体的に、ＡＤＦ１は、図１及び図３に示されるように、原稿搬送路１Ａ、原稿載置部１１、複数の搬送ローラー１２、搬送ガイド１３、及び排紙部１４を備える。また、ＡＤＦ１は、後述する原稿台２１に対して開閉可能に支持されており、原稿台２１の第１コンタクトガラス２１１に載置される原稿に対する原稿カバーを兼ねている。
【００１９】
ＡＤＦ１では、搬送ローラー１２各々が不図示のモーターで駆動される。これにより、原稿載置部１１に載置された原稿が、ＡＤＦ１の内部に形成された原稿搬送路１Ａに沿って搬送される。原稿搬送路１Ａに沿って搬送される原稿は、搬送ガイド１３によって原稿台２１の第２コンタクトガラス２１２上の読取位置Ｐ１（図３参照）に案内された後、排紙部１４に排出される。ここに、ＡＤＦ１は、本発明における原稿搬送部の一例である。また、原稿搬送路１Ａは、本発明における搬送路の一例である。
【００２０】
画像読取部２は、原稿から画像データを読み取ることが可能である。具体的に、画像読取部２は、図１及び図３に示されるように、原稿台２１、読取ユニット２２、ミラー２３、ミラー２４、光学レンズ２５、及びＣＣＤ２６を備える。
【００２１】
原稿台２１は、画像形成装置１０の筐体の上面に設けられる。原稿台２１は、図１及び図３に示されるように、第１コンタクトガラス２１１、第２コンタクトガラス２１２、及び白基準板２１３を備える。第１コンタクトガラス２１１及び第２コンタクトガラス２１２は、透明のガラスである。第１コンタクトガラス２１１には、原稿が載置される。第２コンタクトガラス２１２は、原稿台２１に対して閉じられた状態のＡＤＦ１の搬送ガイド１３と対向する位置に設けられる。白基準板２１３は、図３に示されるように、第１コンタクトガラス２１１の第２コンタクトガラス２１２側の端部の上面に設けられる。白基準板２１３における第１コンタクトガラス２１１との対向面は白色になっている。
【００２２】
画像読取部２は、異なる二つの読取方法で原稿から画像データを読み取ることが可能である。具体的に、画像読取部２は、第１コンタクトガラス２１１上に載置された原稿から、画像データを読み取ることが可能である。また、画像読取部２は、ＡＤＦ１によって原稿が第２コンタクトガラス２１２上の読取位置Ｐ１を通過して搬送される際に、その原稿から画像データを読み取ることも可能である。
【００２３】
読取ユニット２２は、原稿台２１の下側に設けられる。読取ユニット２２は、ステッピングモーター等の駆動部を有する不図示の移動機構によって、副走査方向（図１における左右方向）へ移動可能に構成されている。読取ユニット２２は、図１に示されるように、３色の光源２２１とミラー２２２とを備える。３色の光源２２１は、原稿における主走査方向（図１における紙面に垂直な方向）に沿う領域に異なる色の光を出射する。３色の光源２２１は、具体的には、図３に示されるように、赤色光源２２１Ｒ、緑色光源２２１Ｇ、及び青色光源２２１Ｂである。赤色光源２２１Ｒは、前記主走査方向に沿って配列された複数の赤色ＬＥＤである。緑色光源２２１Ｇは、前記主走査方向に沿って配列された複数の緑色ＬＥＤである。青色光源２２１Ｂは、前記主走査方向に沿って配列された複数の青色ＬＥＤである。赤色光源２２１Ｒ、緑色光源２２１Ｇ、及び青色光源２２１Ｂは、後述の発光制御部５０によって、予め設定された周期で１色ずつ順次に点灯される。以下、赤色光源２２１Ｒ、緑色光源２２１Ｇ、及び青色光源２２１Ｂを特に区別する必要がない場合には、これらを光源２２１と総称する。光源２２１から射出された光は、第１コンタクトガラス２１１又は第２コンタクトガラス２１２を透過して、第１コンタクトガラス２１１に載置された原稿又はＡＤＦ１によって搬送される原稿に照射される。ミラー２２２は、光源２２１から射出されて原稿で反射された光をミラー２３へ反射させる。
【００２４】
画像読取部２では、第１コンタクトガラス２１１に載置された原稿から画像データが読み取られる場合、読取ユニット２２が前記移動機構によって第１コンタクトガラス２１１の下方の位置に移動される。これにより、光源２２１から射出される光が第１コンタクトガラス２１１を透過して、第１コンタクトガラス２１１に載置された原稿に照射される。また、読取ユニット２２は、前記移動機構によって前記副走査方向へ移動される。これにより、第１コンタクトガラス２１１に載置された原稿に光源２２１からの光が前記副走査方向へ走査される。ここに、前記移動機構が、本発明における走査部の一例である。
【００２５】
また、画像読取部２では、ＡＤＦ１によって搬送される原稿から画像データが読み取られる場合、読取ユニット２２が前記移動機構によって第２コンタクトガラス２１２の下方の位置に移動される。具体的に、読取ユニット２２は、前記移動機構によって光源２２１から射出される光が読取位置Ｐ１（図３参照）を通過する位置に移動される。これにより、光源２２１から射出される光が第２コンタクトガラス２１２を透過して、ＡＤＦ１によって読取位置Ｐ１を通過して搬送される原稿に照射される。これにより、読取位置Ｐ１を通過して搬送される原稿に光源２２１からの光が前記副走査方向へ走査される。ここに、ＡＤＦ１が、本発明における走査部の一例である。
【００２６】
また、画像読取部２では、白基準板２１３から画像データが読み取られる場合、読取ユニット２２が白基準板２１３の下方の位置に移動される。これにより、光源２２１から射出される光が第１コンタクトガラス２１１を透過して、第１コンタクトガラス２１１上に設けられた白基準板２１３に照射される。
【００２７】
ミラー２３は、読取ユニット２２のミラー２２２で反射された光をミラー２４へ反射させる。ミラー２４は、ミラー２３で反射された光を光学レンズ２５へ反射させる。光学レンズ２５は、ミラー２４で反射された光を集光してＣＣＤ２６へ入射させる。
【００２８】
ＣＣＤ２６は、前記主走査方向に沿って配列された複数の光電変換素子を有するイメージセンサーである。ＣＣＤ２６は、受光した光の光量に応じた電気信号を出力する。画像読取部２では、光源２２１から射出されて原稿で反射された反射光がミラー２２２、ミラー２３、ミラー２４、及び光学レンズ２５を経由してＣＣＤ２６に入射される。ＣＣＤ２６では、反射光の光量に応じた電気信号を出力する。具体的には、赤色光源２２１Ｒの点灯時には、赤色光源２２１Ｒから照射された光の反射光の光量に応じた電気信号がＣＣＤ２６から出力される。緑色光源２２１Ｇの点灯時には、緑色光源２２１Ｇから照射された光の反射光の光量に応じた電気信号がＣＣＤ２６から出力される。青色光源２２１Ｂの点灯時には、青色光源２２１Ｂから照射された光の反射光の光量に応じた電気信号がＣＣＤ２６から出力される。これにより、ＣＣＤ２６から原稿の画像に対応する各色成分のアナログの電気信号が順次に出力される。ＣＣＤ２６から出力される各色成分のアナログの電気信号は、不図示のアナログフロントエンド回路により各色成分のデジタルの電気信号（画像データ）に変換されて、制御部５に入力される。ここに、ＣＣＤ２６及び前記アナログフロントエンド回路が、本発明の撮像部の一例である。前記画像データでは、各画素における各色が０（下限値）〜２５５（上限値）の２５６階調の画素値で表される。
【００２９】
ところで、原稿カバー（ＡＤＦ１）及び固定プラテン部（第２コンタクトガラス２１２）に蓄光物質が塗布されており、光源（光源２２１）を消灯した状態で前記蓄光物質から放たれる残光に基づいて原稿のサイズを検出する画像読取装置が知られている。しかしながら、前記画像読取装置では、画像読取動作の開始前、動作途中、又は終了後のいずれかのタイミングで、光源を消灯して原稿のサイズを検出する処理が必要となる。よって、前記処理の分だけ処理時間が長くなる。また、原稿を前記副走査方向に一定速度で走査しつつ光源の点灯及び消灯を繰り返して画像の読み取りとサイズの検出とを交互に実行する場合には、画像の読取解像度が低下してしまう。これに対して、本実施形態に係る画像形成装置１０によれば、以下で説明するように、３色の光源２２１を同時に消灯させることなしに原稿のエッジを検出することが可能である。
【００３０】
本実施形態に係る画像形成装置１０では、搬送ガイド１３に蓄光物質が塗布されている。搬送ガイド１３は、３色の光源２２１から見て、読取位置Ｐ１を通過する原稿の奥側に位置する。ここに、搬送ガイド１３が、本発明における背景板の一例である。前記蓄光物質は、特定波長（励起波長）の光を吸収して励起状態になった後に、前記特定波長よりも長い波長（発光波長）の光（残光）を持続的に放射する物質である。本実施形態では、前記蓄光物質の一例として、青色の光で励起されて残光を発する蓄光物質が搬送ガイド１３に塗布されている。
【００３１】
制御部５は、図２に示されるように、発光制御部５０、検出処理部５１、調整処理部５２、置換処理部５３、及び補正処理部５４を含む。なお、制御部５は、前記制御プログラムに従って各種の処理を実行することによりこれらの各処理部として機能する。また、制御部５は、これらの各処理部の一部又は複数の処理機能を実現する電子回路を備えるものであってもよい。ここに、ＡＤＦ１、画像読取部２、及び制御部５を備える装置が、本発明における画像読取装置の一例である。なお、本発明は、スキャナー装置、ファクシミリ装置、コピー機などの画像読取装置又は画像形成装置に適用可能である。
【００３２】
発光制御部５０は、３色の光源２２１を予め設定された周期で１色ずつ順次に点灯させる。例えば、発光制御部５０は、３色の光源２２１を、青色光源２２１Ｂ→緑色光源２２１Ｇ→赤色光源２２１Ｒ→青色光源２２１Ｂ→・・・という順番で点灯させる。なお、発光制御部５０が３色の光源２２１を点灯させる順番は、前記順番に限定されない。
【００３３】
検出処理部５１は、画像読取部２で読み取られた画像データにおける特定の色成分の画素値に基づいて、前記画像データにおける原稿のエッジを検出する。前記特定の色成分は、具体的には、前記蓄光物質の励起波長（すなわち、前記蓄光物質によって吸収される波長）に対応する色成分とは異なる色成分である。本実施形態では、青色の光で励起されて残光を発する蓄光物質が搬送ガイド１３に塗布されている。この場合、検出処理部５１は、画像読取部２で読み取られた画像データにおける緑色成分又は赤色成分の画素値に基づいて、前記画像データにおける原稿のエッジを検出する。
【００３４】
以下、図４〜図７を参照して、検出処理部５１によるエッジ検出方法について具体的に説明する。
【００３５】
図４は、画像読取部２で読み取られた画像データＤ１の一例を示している。画像データＤ１の左右方向は、原稿の搬送方向に対して直交する方向（前記主走査方向）に対応し、画像データＤ１の上下方向は、原稿の搬送方向（前記副走査方向）に対応する。画像データＤ１には、ＡＤＦ１によって搬送された原稿の画像が含まれている。図４に示される領域Ａ１は、原稿の画像を示す領域（すなわち、原稿内の領域）であり、領域Ａ２は、搬送ガイド１３の画像を示す領域（すなわち、原稿外の領域）である。領域Ａ１と領域Ａ２の境界が、原稿のエッジＥ１〜Ｅ４である。
【００３６】
本実施形態では、３色の光源２２１から原稿に向けて異なる色の光が順次に照射される。図５は、青色光源２２１Ｂの点灯時の様子を示しており、図６は、緑色光源２２１Ｇの点灯時の様子を示しており、図７は、赤色光源２２１Ｒの点灯時の様子を示している。
【００３７】
図５に示されるように、青色光源２２１Ｂの点灯時には、青色光源２２１Ｂから照射された青色照射光Ｂ１が、原稿又は搬送ガイド１３で反射して、青色反射光Ｂ２がＣＣＤ２６に入射される。ここで、青色照射光Ｂ１が原稿で反射した場合には、原稿の色（青色成分）に応じて青色反射光Ｂ２の光量が変化する。図５の左側部分に示されるように、青色照射光Ｂ１が白色の原稿で反射した場合に、青色反射光Ｂ２の光量は最大となる。なお、図５における青色反射光Ｂ２に対応する矢印の長さは、青色反射光Ｂ２の光量を模式的に表している。一方、青色反射光Ｂ２が搬送ガイド１３で反射した場合には、搬送ガイド１３に塗布されている前記蓄光物質の作用によって、青色反射光Ｂ２の光量が変化する。本実施形態では、青色の光を吸収する蓄光物質が搬送ガイド１３に塗布されている。よって、青色照射光Ｂ１が搬送ガイド１３で反射した場合には、図５の右側部分に示されるように、青色反射光Ｂ２の光量が、白色の原稿で反射した場合よりも小さくなる。
【００３８】
図６に示されるように、緑色光源２２１Ｇの点灯時には、緑色光源２２１Ｇから照射された緑色照射光Ｇ１が、原稿又は搬送ガイド１３で反射して、緑色反射光Ｇ２がＣＣＤ２６に入射される。ここで、緑色照射光Ｇ１が原稿で反射した場合には、原稿の色（緑色成分）に応じて緑色反射光Ｇ２の光量が変化する。図６の左側部分に示されるように、緑色照射光Ｇ１が白色の原稿で反射した場合に、緑色反射光Ｇ２の光量は最大となる。なお、図６における緑色反射光Ｇ２に対応する矢印の長さは、緑色反射光Ｇ２の光量を模式的に表している。一方、緑色照射光Ｇ１が搬送ガイド１３で反射した場合には、図６の右側部分に示されるように、緑色反射光Ｇ２に加えて、青色光源２２１Ｂの点灯時に励起された前記蓄光物質から発せられる残光ＬがＣＣＤ２６に入射される。このように、緑色照射光Ｇ１が搬送ガイド１３で反射した場合には、ＣＣＤ２６の受光量が、白色の原稿で反射した場合よりも残光Ｌの光量分だけ大きくなる。
【００３９】
図７に示されるように、赤色光源２２１Ｒの点灯時には、赤色光源２２１Ｒから照射された赤色照射光Ｒ１が、原稿又は搬送ガイド１３で反射して、赤色反射光Ｒ２がＣＣＤ２６に入射される。ここで、赤色照射光Ｒ１が原稿で反射した場合には、原稿の色（緑色成分）に応じて赤色反射光Ｒ２の光量が変化する。図７の左側部分に示されるように、赤色照射光Ｒ１が白色の原稿で反射した場合に、赤色反射光Ｒ２の光量は最大となる。なお、図７における赤色反射光Ｒ２に対応する矢印の長さは、赤色反射光Ｒ２の光量を模式的に表している。一方、赤色照射光Ｒ１が搬送ガイド１３で反射した場合には、図７の右側部分に示されるように、赤色反射光Ｒ２に加えて、青色光源２２１Ｂの点灯時に励起された前記蓄光物質から発せられる残光ＬがＣＣＤ２６に入射される。このように、赤色照射光Ｒ１が搬送ガイド１３で反射した場合には、ＣＣＤ２６の受光量が、白色の原稿で反射した場合よりも残光Ｌの光量分だけ大きくなる。
【００４０】
このように、緑色照射光Ｇ１又は赤色照射光Ｒ１が搬送ガイド１３で反射した場合には、白色の原稿で反射した場合と比べて、ＣＣＤ２６の受光量が大きくなる。よって、検出処理部５１は、画像データＤ１における各画素の緑色成分又は赤色成分の画素値に基づいて、各画素が原稿内の画素であるか原稿外の画素であるかを判定することができる。よって、検出処理部５１は、画像データＤ１における原稿のエッジＥ１〜Ｅ４を検出することができる。なお、青色の光を吸収する蓄光物質を用いる場合、青色の光だけでなく緑色の光も幾分吸収されることがある。この場合、緑色光源２２１Ｇの点灯時にＣＣＤ２６の受光量が十分に大きくならないことがあるので、検出処理部５１は、画像読取部２で読み取られた画像データにおける赤色成分の画素値に基づいて、前記画像データにおける原稿のエッジを検出するのがよい。
【００４１】
検出処理部５１は、画像データＤ１における各画素の前記特定の色成分（例えば、赤色成分）の画素値が予め定められた範囲内である場合に、前記画素が前記原稿外に位置すると判定する。例えば、検出処理部５１は、画像データＤ１における各画素の前記特定の色成分の画素値が予め定められた特定値以上である場合に、前記画素が前記原稿外に位置すると判定してもよい。前記特定値は、画像読取部２により白色の原稿が読み取られた場合の画像データにおける前記特定の色成分の画素値よりも大きい値であればよい。例えば、白色の原稿が読み取られた場合の画像データにおける前記特定の色成分の画素値が２４５である場合には、前記特定値は２４６以上の値であればよい。前記特定値は、前記画素値の上限値（すなわち、２５５）であってもよい。
【００４２】
調整処理部５２は、画像読取部２により読み取られる白基準板２１３の画像データにおいては前記特定の色成分（例えば、赤色成分）の画素値が前記上限値となり、画像読取部２により読み取られる搬送ガイド１３の画像データにおいては前記特定の色成分の画素値が前記上限値未満となるように３色の光源２２１の光量を調整する。これにより、検出処理部５１は、例えば、図４に示される画像データＤ１において、前記特定の色成分（例えば、赤色成分）の画素値が２５５である画素については原稿外の画素であると判定し、前記特定の色成分の画素値が２５５未満である画素については原稿内の画素であると判定することができる。よって、検出処理部５１は、画像データＤ１における原稿のエッジＥ１〜Ｅ４を検出することができる。
【００４３】
ところで、前述したように、青色照射光Ｂ１が搬送ガイド１３で反射した場合には、白色の原稿で反射した場合と比較して、ＣＣＤ２６の受光量は小さくなり、緑色照射光Ｇ１及び赤色照射光Ｒ１が搬送ガイド１３で反射した場合には、白色の原稿で反射した場合と比較して、ＣＣＤ２６の受光量は大きくなる。よって、図４に示される画像データＤ１において、原稿外の領域Ａ２は、薄黄色（すなわち、搬送ガイド１３に塗布された前記蓄光物質の色）を示す。このような画像データＤ１に基づいて画像形成部３においてシートに画像が形成された場合、原稿外の領域に薄黄色の色が付くことがある。例えば、シートのサイズが原稿のサイズよりも大きい場合、もしくは、シートと原稿のサイズが同じであっても原稿が傾いている場合に、シートにおける原稿外の領域に薄黄色の色が付く。
【００４４】
そこで、上記のような色付きを防止するために、領域Ａ２に含まれる画素の画素値が、例えば白色を示す画素値又は透明を示す画素値に置換されてもよい。例えば、置換処理部５３は、前記画像データの各画素について、前記特定の色成分（例えば、赤色成分）の画素値が前記上限値（すなわち、２５５）である場合に、残りの色成分（すなわち、青色成分及び緑色成分）の画素値を前記上限値に置換してもよい。これにより、赤色成分の画素値が２５５である画素（すなわち、原稿外に位置する画素）については、青色成分及び緑色成分の画素値が２５５に置換されるので、領域Ａ２に含まれる画素の画素値が白色を示す画素値となる。これにより、前記画像データに基づいて画像形成部３においてシートに画像が形成される場合に、原稿外の領域に薄黄色の色が付くことを防止することができる。
【００４５】
補正処理部５４は、検出処理部５１により検出される原稿のエッジの傾きに基づいて前記画像データに対して回転補正を行う。例えば、補正処理部５４は、図４に示される画像データＤ１におけるエッジＥ１及びエッジＥ２の交点Ｃ１の座標（ｘ１，ｙ１）と、エッジＥ２及びエッジＥ３の交点Ｃ２の座標（ｘ２，ｙ２）とを算出する。そして、補正処理部５４は、交点Ｃ１及び交点Ｃ２の座標に基づいて、エッジＥ２の傾き（すなわち、原稿の傾き）を算出すると共に、交点Ｃ１と交点Ｃ２との間の中点Ｃ３の座標（ｘ３，ｙ３）を算出する。そして、補正処理部５４は、中点Ｃ３を中心として、エッジＥ２の傾きが水平になるように、画像データＤ１に対して回転補正を行う。
【００４６】
［調整処理］
次に、図８を参照しつつ、制御部５（調整処理部５２）によって実行される調整処理の手順の一例について説明する。ここで、ステップＳ１，Ｓ２，・・・は、制御部５により実行される処理手順（ステップ）の番号を表している。なお、前記調整処理は、例えば、画像形成装置１０の電源がオンされたことに応じて開始される。もしくは、予め定められた調整開始操作が行われたこと応じて前記調整処理が開始されてもよい。もしくは、画像読取部２による画像読取動作の開始時に前記調整処理が開始されてもよい。なお、前記調整処理は、ＡＤＦ１によって原稿が搬送されていない状態で実行される。
【００４７】
＜ステップＳ１＞
まず、ステップＳ１において、制御部５は、前記移動機構を制御して、白基準板２１３の下方の位置に読取ユニット２２を移動させる。
【００４８】
＜ステップＳ２＞
ステップＳ２において、制御部５は、ＣＣＤ２６から出力される各色成分のアナログの電気信号を増幅するためのゲインを初期値（例えば、１）に設定する。
【００４９】
＜ステップＳ３＞
ステップＳ３において、制御部５は、３色の光源２２１に電流を供給して３色の光源２２１を順次に点灯させる。
【００５０】
＜ステップＳ４＞
ステップＳ４において、制御部５は、画像読取部２により読み取られる画像データ（すなわち、白基準板２１３の画像データ）に基づいて、前記画像データにおけるいずれかの色成分の画素値が予め定められた目標値になるように３色の光源２２１の供給電流を調整する。前記目標値は、０よりも大きく且つ２５５よりも小さい任意の値であって、例えば２００である。この場合、制御部５は、前記画像データにおけるいずれかの色成分の画素値が２００に達するまで、３色の光源２２１の供給電流を徐々に増加させる。そして、例えば緑色成分の画素値が２００に達すると、処理がステップＳ５に移行する。
【００５１】
＜ステップＳ５＞
ステップＳ５において、制御部５は、前記ステップＳ４で調整された供給電流を維持した状態で、前記画像データおける全ての色成分の画素値が前記目標値（例えば、２００）になるように、各色のゲインを調整する。例えば、前記ステップＳ４において緑色成分の画素値が２００に達した場合には、赤色成分及び青色成分の画素値が２００に達するまで、赤色のゲイン及び青色のゲインを徐々に増加させる。そして、赤色成分及び青色成分の画素値が２００に達すると、処理がステップＳ６に移行する。
【００５２】
＜ステップＳ６＞
ステップＳ６において、制御部５は、前記移動機構を制御して、第２コンタクトガラス２１２の下方の位置に読取ユニット２２を移動させる。
【００５３】
＜ステップＳ７＞
ステップＳ７において、制御部５は、画像読取部２により読み取られる画像データ（すなわち、搬送ガイド１３の画像データ）に基づいて、前記画像データにおける赤色成分の画素値が前記目標値（例えば、２００）を超えているか否かを判断する。そして、赤色成分の画素値が前記目標値を超えていると判断されると（Ｓ７：Ｙｅｓ）、処理がステップＳ８に移行する。一方、赤色成分の画素値が前記目標値を超えていないと判断されると（Ｓ７：Ｎｏ）、処理が前記ステップＳ１に戻る。
【００５４】
なお、搬送ガイド１３には前記蓄光物質が塗布されているので、赤色光源２２１Ｒから照射された光が搬送ガイド１３で反射した場合には、白基準板２１３又は白色の原稿で反射した場合と比較して、赤色成分の画素値が大きくなる。よって、前記ステップＳ１〜Ｓ５の処理において赤色成分の画素値が２００となるように３色の光源２２１の供給電流及び各色のゲインが調整されていれば、特に異常が無い限り、前記ステップＳ７では前記画像データにおける赤色成分の画素値が２００を超えていると判断される。
【００５５】
＜ステップＳ８＞
ステップＳ８において、制御部５は、画像読取部２により読み取られる画像データ（すなわち、搬送ガイド１３の画像データ）に基づいて、前記画像データにおける赤色成分の画素値が前記上限値（例えば、２５５）になるように３色の光源２２１の供給電流を調整する。例えば、制御部５は、前記画像データにおける赤色成分の画素値が２５５に達するまで、３色の光源２２１の供給電流を徐々に増加させる。そして、赤色成分の画素値が２５５に達すると、処理がステップＳ９に移行する。
【００５６】
＜ステップＳ９＞
ステップＳ９において、制御部５は、前記移動機構を制御して、白基準板２１３の下方の位置に読取ユニット２２を移動させる。
【００５７】
＜ステップＳ１０＞
ステップＳ１０において、制御部５は、画像読取部２により読み取られる画像データ（すなわち、白基準板２１３の画像データ）に基づいて、前記画像データにおける赤色成分の画素値が前記上限値（例えば、２５５）未満であるか否かを判断する。そして、赤色成分の画素値が前記上限値未満であると判断されると（Ｓ１０：Ｙｅｓ）、処理がステップＳ１１に移行する。一方、赤色成分の画素値が前記上限値であると判断されると（Ｓ１０：Ｎｏ）、処理が前記ステップＳ７に戻る。
【００５８】
＜ステップＳ１１＞
ステップＳ１１において、制御部５は、３色の光源２２１への電流の供給を停止して３色の光源２２１を消灯させる。
【００５９】
＜ステップＳ１２＞
ステップＳ１２において、制御部５は、調整後の設定値（すなわち、前記ステップＳ５における調整後のゲイン、及び前記ステップＳ８における調整後の供給電流）を、前記ＥＥＰＲＯＭなどの不揮発性の記憶媒体に保存する。そして、前記調整処理が終了する。
【００６０】
前記ステップＳ１２で保存された前記設定値は、画像読取部２によって原稿の画像データが読み取られる際に用いられる。前記設定値を用いることにより、画像読取部２によって読み取られた画像データにおける原稿内の画素の前記特定の色成分（例えば、赤色成分）の画素値は前記上限値（例えば、２５５）未満となり、原稿外の画素の前記特定の色成分の画素値は前記上限値となる。よって、制御部５は、前記画像データにおける前記特定の色成分の画素値に基づいて、前記画像データにおける原稿のエッジを検出することが可能となる。
【００６１】
以上のように、本実施形態に係る画像形成装置１０では、搬送ガイド１３に前記蓄光物質が塗布されている。そして、画像読取部２で読み取られた画像データにおける各画素の特定の色成分の画素値に基づいて、前記画素が原稿内の画素であるか原稿外の画素であるかが判定される。よって、本実施形態に係る画像形成装置１０によれば、コストの増加及び生産性の低下を抑制しつつ原稿のエッジを検出することが可能である。
【００６２】
［変形例］
なお、本実施形態では、ＡＤＦ１によって搬送される原稿から画像データが読み取られる場合について説明したが、本発明は、第１コンタクトガラス２１１に載置された原稿から画像データが読み取られる場合にも適用可能である。この場合、第１コンタクトガラス２１１を覆う原稿カバーの下面（例えば、ＡＤＦ１の下面に設けられた原稿押さえシート）に前記蓄光物質が塗布されていればよい。ここに、前記原稿カバー又は前記原稿押さえシートが、本発明における背景板の一例である。
【００６３】
また、本実施形態では、前記蓄光物質の励起波長が青色の光の波長である場合について説明したが、本発明はこれに限定されない。他の実施形態では、前記蓄光物質の励起波長が緑色の光の波長であってもよい。この場合、検出処理部５１は、画像読取部２で読み取られた画像データにおける赤色成分又は緑色成分の画素値に基づいて、前記画像データにおける原稿のエッジを検出することができる。また、さらに他の実施形態では、前記蓄光物質の励起波長が赤色の光の波長であってもよい。この場合、検出処理部５１は、画像読取部２で読み取られた画像データにおける青色成分又は緑色成分の画素値に基づいて、前記画像データにおける原稿のエッジを検出することができる。
【符号の説明】
【００６４】
１０      画像形成装置
１        ＡＤＦ
１３      搬送ガイド
２        画像読取部
２１      原稿台
２１１    第１コンタクトガラス
２１２    第２コンタクトガラス
２１３    白基準板
２２      読取ユニット
２２１    光源
２２１Ｒ  赤色光源
２２１Ｇ  緑色光源
２２１Ｂ  青色光源
２６      ＣＣＤ
３        画像形成部
５        制御部
５０      光源制御部
５１      検出処理部
５２      調整処理部
５３      置換処理部
５４      補正処理部
６        操作表示部
【図１】
2018191214.tif 000003
【図２】
2018191214.tif 000004
【図３】
2018191214.tif 000005
【図４】
2018191214.tif 000006
【図５】
2018191214.tif 000007
【図６】
2018191214.tif 000008
【図７】
2018191214.tif 000009
【図８】
2018191214.tif 000010